(57)【要約】      （修正有）【課題】台所、トイレのタイル壁面に穴をあけない状況下で、タイルをつなぎ合わせる隙間を利用してフック、物置台などの装置を取り付ける特殊なタイル隙間用釘を提供する。【解決手段】釘１が円柱２を貫通し、円柱２の外壁の一方の端にねじ山３があり、対応するめねじ４を有する。相応する穴がある物置台が円柱２を貫通し、その後にねじ山３によって、めねじ４をねじり回して物置台を固定する。【選択図】図１
0003223820.tif 000002
【実用新案登録請求の範囲】
【請求項１】
釘（１）が円柱（２）を貫通し、前記円柱の外壁に開口部（７）があり、開口部の数に制限がないことを特徴とするタイル隙間用釘。
【請求項２】
釘（１）が円柱（２）を貫通し、前記円柱の外壁の一方の端にねじ山（３）があり、対応するめねじ（４）があることを特徴とするタイル隙間用釘。
【請求項３】
釘（１）が円柱（２）を貫通し、前記円柱の外壁の一方の端にねじ山（３）があり、対応するめねじ（４）があり、ねじ山（３）の近傍からもう一方の端まで縦長の突起（５）があることを特徴とするタイル隙間用釘。
【請求項４】
釘（１）が円柱（２）を貫通し、前記円柱の外壁の一方の端にねじ山（３）があり、対応するめねじ（４）があり、ねじ山（３）の近傍からもう一方の端まで縦溝（６）があることを特徴とするタイル隙間用釘。
【請求項５】
釘（１）が角柱（９）を貫通し、前記角柱の外壁に開口部があり、開口部の数に制限がないことを特徴とするタイル隙間用釘。
【請求項６】
釘（１）が角柱（９）を貫通し、前記角柱に横溝（８）があることを特徴とするタイル隙間用釘。
【請求項７】
請求項１〜６のいずれか１つに記載された前記タイル隙間用ネジ釘であって、前記釘は「一」の字型に配列されている複数の釘を有することを特徴とする前記タイル隙間用釘。
【考案の詳細な説明】
【技術分野】
【０００１】
本考案は台所、トイレのタイル壁面に穴をあけず、タイル表面を傷つけないという状況下で、タイルをつなぎ合わせる隙間の特性を利用し、フック、物置台等を取り付ける解決手段に関する。
【背景技術】
【０００２】
現時点では、台所、トイレのタイル壁にフック、物置台等の取り付けは専門者が専門工具で穴をあけて取り付ける必要があり、一般的な家庭においては多くの不便さをもたらす。あるフック、物置台等は接着又は吸盤の解決手段を採用するものもあるが、二つの解決手段のいずれも１００パーセントの理想的なものではない。
【０００３】
タイルをつなぎ合わせる隙間は一般的に０．７ミリメートル以上の幅があり、台所やトイレの壁面における多くのタイルをつなぎ合わせる隙間はいずれも人が物を取る便利なところを経由する。これは本考案の実現のための可能性を提供する。本考案は人々の日常生活が便利になるようにより多くの選択肢を提供する。
【考案の概要】
【０００４】
本考案は、タイルをつなぎ合わせる隙間の幅と方向、及びタイルが非常に堅固であること等の特性に対応するために、フック、物置台等を取り付けるための釘を発明した。
【０００５】
本考案の第１実施例は四つの部分で構成される：釘（１）、円柱（２）、ねじ山（３）及びめねじ（４）図１に示すとおりである。釘は非常に細かく堅い鋼材料で製造され、縫い針は人々に優れた応用体験を提供する。
【０００６】
釘（１）の数に制限がなく、必要に応じて配列され、「一」字型の配列を含む。釘（１）は円柱（２）と一体になってもよく、円柱（２）と分離して二つの部分になってもよく、円柱（２）を貫通する方式で円柱（２）とつながり、図５に示すとおりである。この種の分離方式は、本考案をよりよく実施することに有利であり、金槌で打つ時に、釘（１）を歪んで打ちにくく、指などを打ちにくい。該方法は同様に以下の発明において適用される。
【０００７】
第２実施例：上記の全ての特徴を含む以外、第２実施例の円柱（２）に縦長の突起（５）又は縦溝（６）を発明し、図２の（５）と（６）に示すとおりである。該構造は、一つのタイル隙間用釘で小型の物置台（例えば石鹸棚、ドライヤー棚等）の固定に便利であり、物置台が円柱（２）をめぐって回転することを効果的に阻止し、且つそれと同時にタイルをつなぎ合わせる隙間と物置台の向き方向を両立させる。釘（１）を軸対称とする十字型縦長の突起（５）又は縦溝（６）構造は該目標を実現する最適な解決手段である。
【０００８】
タイル隙間用釘と物置台との間の取り付け方法が異なるため、第３実施例と第４実施例を発明した。
【０００９】
第３実施例：釘（１）と円柱（２）で構成され、図３に示すとおりである。円柱（２）に開口部（７）をあけて、物置台を固定することに用いられ、開口部の数には制限がない。複数の開口部はタイルをつなぎ合わせる隙間と物置台の向き方向を同時に両立させ、融通性を向上させるためである。例えば、釘（１）は円柱（２）に４つの方向に沿って４つの小さな穴を軸対称であける。
【００１０】
第４実施例：釘（１）と角柱（９）で構成され、図４に示すとおりである。角柱（９）に穴をあけることができ、穴をあける方法は上記の実施例と同じである。横方向で槽即ち横溝（８）をあけることもでき、取り付ける際に物置台を効果的に固定できるようにさせる。横溝（８）もタイルをつなぎ合わせる隙間と物置台の向き方向を同時に両立させ、且つ融通性をさらに向上させるためである。
【００１１】
家庭内装が使う従来の様々な釘のいずれも一つの釘で物体（物体が釘に沿って回転する）を固定することが実現できない。第２実施例、第３実施例、第４実施例は二つの釘で物体を固定する従来の方式を打破し、且つ取り付けは簡潔で外観が美しい。
【図面の簡単な説明】
【００１２】
【図１】本考案の図１は第１実施例の全体透視図である。
【図２】図２は第２実施例の円柱（２）の透視図である。
【図３】図３は第３実施例の透視図である。
【図４】図４は第４実施例の透視図である。
【図５】図５は釘と円柱との構造関係の透視図である。
【００１３】
図１、図２、図３、図４、図５において、同じ数字が同じ部品と対応し、対応する関係は以下のとおりである：１、釘；２、円柱；３、ねじ山；４、めねじ；５、縦長の突起；６、縦溝；７、開口部；８、横溝；９、角柱。
【考案を実施するための形態】
【００１４】
本考案の釘（１）をタイル壁をつなぎ合わせる隙間と正確に合わせ、金槌で打つ外力を借用することで、釘をタイルをつなぎ合わせる隙間に挿し込む。
【００１５】
本考案において、第１実施例と第２実施例では物置台を取り付ける方法は以下のとおりである：相応する穴がある物置台が円柱（２）を貫通し、その後にねじ山（３）によって、めねじ（４）をねじり回して物置台を固定する。
【００１６】
本考案の第１実施例は横方向、縦方向、及びその他のパターンのいかなる方向のタイルをつなぎ合わせる隙間に適応することができる。
【００１７】
第２実施例は主に横方向と縦方向のタイルをつなぎ合わせる隙間に適用され、且つ一つのタイル隙間用釘で物置台を取り付けることが実現できる。
【００１８】
第３実施例と第４実施例で、物置台を取り付ける方法は以下のとおりである：相応する穴がある物置台が円柱（２）又は角柱（９）に套設され、普通のねじで円柱（２）における開口部（７）又は角柱（９）における横溝（８）を利用して物置台を固定する。このような取り付け方法はキッチンバス製品の応用においてよく見受けられる。この種類の取り付け方法で第３実施例と第４実施例は一つのタイル隙間用釘で物置台を取り付けることを実現する際により多くの選択肢を提供する。
【００１９】
第４実施例は主に横方向と縦方向のタイルをつなぎ合わせる隙間に適用される。
【００２０】
本考案は一般的な壁面及びタンスなどの家具にも用いられ、タイルは一般的な壁面よりさらに堅固であるため、本考案はタイル壁面に応用され、タイル隙間用釘の耐荷重は、タイル隙間用釘の極限の耐荷重に達することができ、壁体が壊れることを気にかける必要がない（家庭内装への応用において普通は以下の状況が発生する：壁が裂け、釘が壊れる状況は少ない）。
【図１】
0003223820.tif 000003
【図２】
0003223820.tif 000004
【図３】
0003223820.tif 000005
【図４】
0003223820.tif 000006
【図５】
0003223820.tif 000007